【手続補正書】
【提出日】平成24年8月22日(2012.8.22)
【手続補正１】
【補正対象書類名】特許請求の範囲
【補正対象項目名】全文
【補正方法】変更
【補正の内容】
【特許請求の範囲】
【請求項１】
脱毛のための装置であって、
インピーダンス整合媒体が充填された容器と、
前記インピーダンス整合媒体内で超音波トランスデューサ要素によって超音波が発生するように、前記容器の第１端で前記容器に連結された超音波トランスデューサ要素と、
前記容器の第１端とは反対側の第２端にある毛受容要素とを備え、
前記毛受容要素は毛幹を受容するための少なくとも１つの開口を有し、前記少なくとも１つの開口の高さは、前記超音波の半波長の略整数倍である、装置。
【請求項２】
前記容器は管状構造であり、前記受容要素は前記管状構造の前記第２端を前記壁に略垂直に被覆する、請求項１に記載の装置。
【請求項３】
前記容器は管状構造であり、前記受容要素は前記管状構造の壁に溝として形成される、請求項１に記載の装置。
【請求項４】
前記溝は、前記管状構造によって画定される長手軸に略平行に形成される線状溝である、請求項３に記載の装置。
【請求項５】
前記超音波は、前記毛受容要素から１ミリメートル未満の距離にある集束領域に集束される、請求項１〜４のいずれかに記載の装置。
【請求項６】
脱毛のための装置であって、
インピーダンス整合媒体が充填されかつ毛幹を受容すると共に前記媒体内で超音波を発生するように構成された、複数の管状トランスデューサ要素を備え、
前記トランスデューサ要素の少なくとも幾つかの高さは、前記超音波の半波長の略整数倍である、装置。
【請求項７】
脱毛のための装置であって、
インピーダンス整合媒体が充填された容器と、前記インピーダンス整合媒体内で超音波トランスデューサ要素によって超音波が発生するように、前記容器に連結された超音波トランスデューサ要素とを備え、
前記トランスデューサ要素には、毛幹を受容するための少なくとも１つの開口が設けられる、装置。
【請求項８】
前記少なくとも１つの開口の高さは、前記超音波の半波長の略整数倍である、請求項７に記載の装置。
【請求項９】
脱毛のための装置であって、
偏倚ユニットおよび振動ユニットを備え、かつ互いの方向に偏倚可能な毛掴持端を有し、前記偏倚ユニットは毛幹を受容するように構成され、
前記振動ユニットはそれぞれの毛掴持端で振動を発生するための超音波トランスデューサ要素と、前記振動ユニットの前記それぞれの毛掴持端における少なくとも１つの細長い振動要素とを有し、前記細長い振動要素は前記振動の振幅を機械的に増幅し、かつ前記増幅された振動を前記毛に伝達し、そこで超音波を発生させる、装置。
【請求項１０】
前記トランスデューサ要素によって発生した振動を増幅し、かつ前記増幅された振動を前記細長い振動要素に伝達するための少なくとも１つの音響ホーンをさらに備える、請求項９に記載の装置。
【請求項１１】
前記細長い振動要素および前記音響ホーンは同一材料から作られる、請求項９又は１０に記載の装置。
【請求項１２】
前記細長い振動要素は前記音響ホーンの一体的延長部である、請求項１１に記載の装置。
【請求項１３】
前記振動要素の端部における振動を固定、防止、または低減するが、前記振動要素の中心部分の振動を可能にする支持アームをさらに備える、請求項９〜１２のいずれかに記載の装置。
【請求項１４】
前記トランスデューサ要素の変位を増加させるように前記トランスデューサ要素に予圧力を加えるためのクランプ部材をさらに備える、請求項９〜１３のいずれかに記載の装置。
【請求項１５】
前記偏倚ユニットは、複数の毛幹を対象者の皮膚から傾斜面上に起立させるための傾斜面を含む、請求項９〜１４のいずれかに記載の装置。
【請求項１６】
前記偏倚ユニットは、前記毛幹を受容するための少なくとも１つの開口を含む、請求項９〜１５のいずれかに記載の装置。
【請求項１７】
脱毛のための装置であって、
振動を発生させるための超音波圧電膜と、
毛幹を受容するための少なくとも１つの開口を有する毛受容要素と、
前記圧電膜を前記毛幹上で偏倚させ、かつ前記圧電膜が前記振動を前記毛幹に伝達してそこに超音波を発生させることを可能にするために、前記圧電膜に圧力を加えるように構成された加圧板とを備える、装置。
【請求項１８】
前記圧電膜は可撓性である、請求項１７に記載の装置。
【請求項１９】
脱毛のための装置であって、
振動を発生させるための振動ユニットと、前記振動ユニットを偏倚させるための偏倚ユニットとを備え、前記振動ユニットおよび前記偏倚ユニットは各々、複数の翼が周設された円板を有し、
前記振動ユニットおよび前記偏倚ユニットは、前記振動ユニットの翼が前記偏倚ユニットの翼と絡み合うように回転自在に作動的に連結され、前記ユニットの少なくとも１ユニットの回転運動により、毛幹は前記偏倚ユニットの翼と前記振動ユニットの翼との間に掴持される、装置。
【請求項２０】
前記振動ユニットは、前記円板に結合された超音波トランスデューサ要素をさらに含む、請求項１９に記載の装置。
【請求項２１】
前記トランスデューサ要素によって発生した振動を増幅し、かつ前記増幅された振動を前記円板に伝達するための音響ホーンをさらに備える、請求項２０に記載の装置。
【請求項２２】
前記振動ユニットの前記円板は超音波トランスデューサ要素である、請求項１９に記載の装置。
【請求項２３】
前記ユニットのうちの少なくとも１つについて、それぞれの翼はそれぞれの円板の一体的延長部である、請求項１９〜２２のいずれかに記載の装置。
【請求項２４】
脱毛のための装置であって、
第１ユニット本体と前記第１ユニット本体から外方に突出する膨隆とを有する第１ユニットであって、前記第１ユニット本体を振動させるための超音波トランスデューサ要素に結合された第１ユニットと、
前記膨隆と形状的に適合性のある陥凹が形成された第２ユニット本体を有する第２ユニットとを備え、
前記膨隆が前記陥凹と係合したときに毛幹が前記膨隆と前記陥凹との間に掴持され、かつ少なくとも前記第１ユニット本体の振動運動によって加振されるように、前記第１ユニットおよび前記第２ユニットは互いの方向に偏倚可能である、装置。
【請求項２５】
前記トランスデューサ要素は、前記第１ユニット本体内に形成された陥凹内に配置される、請求項２４に記載の装置。
【請求項２６】
前記係合は前記毛幹と前記トランスデューサ要素との間の直接接触を確立する、請求項２４又は２５に記載の装置。
【請求項２７】
前記係合は、前記毛幹と前記トランスデューサ要素との間の直接接触を回避するように行なわれる、請求項２４又は２５に記載の装置。
【請求項２８】
脱毛のための装置であって、
どちらも互いに巻回された渦巻きシートとして形成された可撓性振動ユニットおよび可撓性偏倚ユニットを備え、前記振動ユニットはそれぞれのシートに取り付けられるか又はそれと一体化された超音波トランスデューサ要素を有し、
前記シートは、毛幹を前記シート間の螺旋状間隔に受容するように、かつ前記間隔を緊密化し、それによって前記毛幹を掴持するために互いに対して螺旋運動を確立するように、構成され、
前記トランスデューサ要素の振動運動は前記シートによって前記毛幹に伝動され、そこで超音波を発生させる、装置。
【請求項２９】
脱毛のための装置であって、
超音波トランスデューサ要素、振動要素、および前記トランスデューサ要素と前記振動要素との間の音響ホーンを有する振動ユニットであって、前記トランスデューサ要素の振動運動が前記ホーンによって前記振動要素に伝動される振動ユニットと、
掴持要素および前記掴持要素を前記振動要素に対して開閉するように構成されたアクチュエータ機構を有する偏倚ユニットとを備え、
前記アクチュエータ機構は前記ホーンに沿った前記掴持要素の直線運動を確立するように動作し、第１方向に沿った直線運動により、前記掴持要素と前記振動要素との間の間隙が開いて毛幹が前記間隙に受容され、かつ前記第１方向とは反対の第２方向に沿った直線運動によって、前記掴持要素が前記振動要素上に閉鎖され、それらの間に前記毛が掴持され、前記毛幹で超音波を発生させるために前記振動運動が前記毛幹に伝動される、装置。
【請求項３０】
対象者の皮膚から前記毛幹を起立させて、前記毛幹の装置への進入を容易にするように構成された毛立上げ機構をさらに備える、請求項１〜２９のいずれかに記載の装置。
【請求項３１】
脱毛方法であって、請求項１〜１９のいずれかに記載の装置に毛幹を進入させるステップと、前記毛幹に超音波を発生させるように選択された周波数で前記トランスデューサ要素を起動させるステップとを含み、前記超音波の音響エネルギーは毛根に充分な量の熱を発生させて、毛包、毛乳頭、毛隆起、および／または胚芽層を少なくとも損傷させる、方法。